(57)【要約】【課題】構造がシンプルで使い易く、僅かな力で干し物を移動することができる、高齢者や身体障害者等にとって好適な物干し竿、及び該物干し竿を利用した物干し装置を提供する。【解決手段】下方に係合凹溝を有するフレーム１の長手方向の両端付近に夫々軸止されて設けられた第１の滑車２と第２の滑車３，第１の滑車２より若干低い位置に軸止されて設けられた第３の滑車４と第１の滑車２，及び第２の滑車３と第３の滑車４に掛け渡され第１の滑車２と第３の滑車４の間に一部が垂下された紐環線状物５，並びに紐環線状物５に係止されフレーム１に対して摺動自在に設けられた１又は複数の吊下具６，・・・を有するハンガー移動式物干し竿である。また、物干し竿の長手方向の両端付近が、２本の伸縮自在にして高さ調節可能な物干し支柱８，８に係止されてなる物干し装置である。【選択図】図１
0003133241.tif 000002
【実用新案登録請求の範囲】
【請求項１】
下方に係合凹溝を有するフレームの長手方向の両端付近に夫々軸止されて設けられた第１の滑車と第２の滑車，第１の滑車より若干低い位置に軸止されて設けられた第３の滑車と第１の滑車，及び第２の滑車と第３の滑車に掛け渡され第１の滑車と第３の滑車の間に一部が垂下された紐環線状物，並びに該紐環線状物に係止されフレームに対して摺動自在に設けられた１又は複数の吊下具を有することを特徴とするハンガー移動式物干し竿。
【請求項２】
吊下具が、係合凹溝に係合して摺動自在に移動するランナーと、該ランナーに螺合するフックとを有し、ランナーとフックの螺合によって紐環線状物に干し物に必要な間隔で係止されてなることを特徴とする請求項１に記載のハンガー移動式物干し竿。
【請求項３】
フレームが、水平に設置された略円筒形状の支持部材の長手方向のほぼ全域に亘って固着されてなることを特徴とする、請求項１又は請求項２に記載のハンガー移動式物干し竿。
【請求項４】
請求項１〜請求項３の何れか１項に記載のハンガー移動式物干し竿の長手方向の両端付近が、２本の伸縮自在にして高さ調節可能な物干し支柱に係止されてなることを特徴とする物干し装置。
【考案の詳細な説明】
【技術分野】
【０００１】
本考案は、高齢者や身体障害者等の身体の不自由な者にとっても使い易い、ハンガー等物干し具に係止された干し物を容易に移動できる物干し竿、及び該物干し竿を利用した物干し装置に関する。
【背景技術】
【０００２】
干し物を干したり取り込んだりする作業は、干し物を上げ下げする動作，干し物を物干し竿の長手方向に移動させる動作等を要する手間の掛かる作業であり、殊に高齢者や身体障害者等にとっては重労働である。前記の動作を省力化して行うか又は省略することができれば、作業が容易となり、高齢者や身体障害者等は元より、それ以外の者にとっても有益である。
【０００３】
物干し竿又は物干し装置に干した干し物を、手動又は自動で移動できる考案又は発明が開示されている。
【０００４】
例えば、特許文献１には、
一方向に延びる長さを有する物干し竿の所定の位置に取り付ける第一のストッパーと、
前記第一のストッパーから所定の間隔を空けて前記物干し竿に取り付ける第二のストッパーと、
前記第一のストッパーと前記第二のストッパーとに架け渡された環状の線状物と、
前記第一のストッパーと前記第二のストッパーとの間に配置され、前記物干し竿に対して摺動自在に取り付けることができ、かつ、ハンガーを引っ掛けることができる複数のハンガーフックと、
隣接する前記ハンガーフック同士を連結する紐状の連結部材と、
を備え、
前記紐状物は、前記第一のストッパーと前記第二のストッパーとの間で循環するようにされており、
前記第一のストッパーに隣接した位置にある一の前記ハンガーフックは、前記線状物の一カ所に固定されているハンガー取り付け具
が開示されている。
【０００５】
また、特許文献２には、水平状に設置されたフレーム内に駆動軸と従動軸を配設し両軸間に無端環状動力伝達部材を張架すると共に上記駆動軸をモータと連結し、滑車を軸支した複数個の掛鉤支持部材を無端環状動力伝達部材と平行に摺動自在に設けると共に隣接する掛鉤支持部材同士を一定間隔内で接近離隔自在となるように相互に連結し、且つフレーム先端部側の掛鉤支持部材を無端環状動力伝達部材に一体に接続し、一端部に物干し竿を支持する掛鉤が装着された適宜長さの連結部材を各掛鉤支持部材の滑車に巻回すると共に、当該連結部材の他端部を元端側の掛鉤支持部材に固着した構成を有する物干し装置が開示されている。
【０００６】
【特許文献１】登録実用新案第３１０７５８２号公報
【特許文献２】特開平８−３３２２９９号公報
【考案の開示】
【考案が解決しようとする課題】
【０００７】
しかしながら、上記特許文献１に記載のハンガー取り付け具においては、線状物が第一のストッパー及び第二のストッパーの内部に挿通されていて、線状物を循環させることによって、第一のストッパー及び第二のストッパーの内部で摩擦を生じる。また、ハンガーフックが貫通孔又は鉤状部によって物干し竿に掛けられていて、線状物を循環させハンガーフックを移動させると、ハンガーフックと物干し竿との間に摩擦が生じる。これらの摩擦のために、線状物，第一のストッパー，第二のストッパー，ハンガーフック及び物干し竿が摩耗する虞がある。ハンガーフックを移動させるためには、摩擦力に抗して線状物を循環させるために力を要する。複数のハンガーフックに干し物が引っ掛けられている場合、全てのハンガーフック及び該ハンガーフックに引っ掛けられた全ての干し物の荷重によって生じる大きな摩擦力に抗する力が必要であり、湿って重くなった干し物を干すときには特に大きな力を必要とする。
【０００８】
特許文献２に記載の物干し装置は、掛鉤に支持された物干し竿を移動させるものであって、干し物を物干し竿の長手方向に移動させる課題は解決されない。
たとえ、物干し竿を用いずハンガーを直接吊下して用いたとしても、使用者がスイッチ機構を操作することによって又は降水検知器によって自動的に駆動される複雑な構成であって、安価に作成できないし、高齢者が煩雑な操作を覚え使いこなすことも困難である。
【０００９】
また、上記特許文献１に記載のハンガー取り付け具又は特許文献２に記載の物干し装置の何れにおいても、互いに隣り合うハンガーフック又は掛鉤が所定長の連結部材によって連結されていて、干し物同士の間隔を調整することができない。干し物を係止して干すために用いる物干し具には、シャツ等を掛けて吊るすハンガーの他、ハンガーが複数連結されたもの，ピンチハンガー，物干しネット等種々の形状や大きさのものがあり、その種類に応じて隣り合う物干し具との適切な間隔は異なる。物干し具同士の間隔が近過ぎると、干し物が風を受けて隣り合う干し物に意図せず接触して落下する虞があるし、隣り合う干し物同士が重なって乾き難くなる虞がある。一方、物干し具同士の間隔が長すぎると、一定長の物干し竿に干すことのできる干し物の量が限られてしまい、非効率的である。
【００１０】
本考案はこれらの問題点に鑑み、構造がシンプルで使い易く、僅かな力で干し物を移動することができる、高齢者や身体障害者等にとって好適な物干し竿、及び該物干し竿を利用した物干し装置を提供することを課題とする。
【課題を解決するための手段】
【００１１】
上記課題を解決するために、本考案の請求項１記載のハンガー移動式物干し竿は、下方に係合凹溝を有するフレームの長手方向の両端付近に夫々軸止されて設けられた第１の滑車と第２の滑車，第１の滑車より若干低い位置に軸止されて設けられた第３の滑車と第１の滑車，及び第２の滑車と第３の滑車に掛け渡され第１の滑車と第３の滑車の間に一部が垂下された紐環線状物，並びに該紐環線状物に係止されフレームに対して摺動自在に設けられた１又は複数の吊下具を有している。
【００１２】
請求項２に記載の考案は、請求項１に記載のハンガー移動式物干し竿であって、吊下具が、係合凹溝に係合して摺動自在に移動するランナーと、該ランナーに螺合するフックとを有し、ランナーとフックの螺合によって紐環線状物に干し物に必要な間隔で係止されてなることを特徴としている。
【００１３】
請求項３に記載の考案は、フレームが、水平に設置された略円筒形状の支持部材の長手方向のほぼ全域に亘って固着されてなることを特徴とする、請求項１又は請求項２に記載のハンガー移動式物干し竿である。
【００１４】
請求項４に記載の考案は、請求項１〜請求項３の何れか１項に記載のハンガー移動式物干し竿の長手方向の両端付近が、２本の伸縮自在にして高さ調節可能な物干し支柱に係止されてなることを特徴とする物干し装置である。
【００１５】
吊下具に物干し具を吊るし、該物干し具に干し物を係止して使用する。紐環線状物の第１の滑車と第３の滑車の間に垂下された部分を何れかの向きに引っ張ることによって、吊下具を物干し具及び干し物と共に、物干し竿の長手方向に移動させる。干し物を干している間は、紐環線状物の第１の滑車と第３の滑車の間に垂下された部分を物干し支柱等に括り付けて、干し物が風を受けて意図せず移動することを回避する。
【考案の効果】
【００１６】
本考案のハンガー移動式物干し竿は、フレームに対して摺動自在に設けられた吊下具を滑車に架け渡された紐環線状物によって移動させるから、紐環線状物が他部材と摩擦を起こすことが回避される。大きな摩擦力に抗する力を要しないから、干し物を容易に移動させることができるし、紐環線状物や他部材が摩耗することも避けられる。
【００１７】
紐環線状物の第１の滑車と第３の滑車の間に垂下された部分をいずれかの向きに引っ張ることで干し物を移動させることができるから、操作が分り易く直感的に理解でき、高齢者にとっても容易に使用できる。
【００１８】
請求項２に記載のハンガー移動式物干し竿は、吊下具がランナーとフックの螺合によって紐環線状物に係止されているから、吊下具を紐環線状物の任意の位置に取り付けることができるし、フックの紐環線状物に対する相対的角度が固定され、フックに吊下された物干し具の角度も制約される。隣り合う吊下具同士の間隔が任意に変えられるし、干し物が風を受け鉛直軸方向に回転することも抑制されるから、形状や大きさの異なる種々の物干し具に対して適切な間隔を置くことが可能であり、物干し竿を長手方向に有効に活用して干し物を干すことができる。また、物干し具に掛けられた、隣り合う干し物同士が意図せず接触して、落下したり、重なったりすることが回避される。
【００１９】
請求項３に記載の物干し竿は、フレームが略円筒形状の支持部材の長手方向のほぼ全域に亘って固着されているから、物干し竿の強度が高く、吊下具に物干し具及び干し物を吊るしたときに加わる前記物干し竿を曲げようとする力に抗する力が強い。長期に亘る使用によって、物干し竿が変形又は破損することを回避できる。
【００２０】
請求項４に記載の物干し装置は、物干し竿が２本の伸縮自在にして高さ調節可能な物干し支柱に係止されているから、物干し竿の高さ位置を、使用者が作業し易い高さ位置に設定することができる。例えば下半身不随で車椅子に乗った者でも高さを調整して作業することが可能であり、請求項１〜請求項３の何れか１項に記載の物干し竿と相俟って、使用し易い物干し装置である。
【考案を実施するための最良の形態】
【００２１】
以下に、本考案を実施するための最良の形態を、実施例を示す図面を参照して詳細に説明する。尚、本実施例に、本考案は限定されるものではない。
【実施例１】
【００２２】
先ず、本考案に係る物干し竿について説明する。
【００２３】
図１は、本考案の実施例を示す側断面図である。図２は、図１のＡ−Ａ断面図であり、図３は、図１のＢ−Ｂ断面図である。図４は、本考案の物干し竿を示す斜視図である。
【００２４】
本考案に係るハンガー移動式物干し竿は、図１〜図４に示される様に、下方に係合凹溝１ａを有するフレーム１の長手方向の両端付近に夫々軸止されて設けられた第１の滑車２と第２の滑車３，第１の滑車より若干低い位置に軸止されて設けられた第３の滑車４と第１の滑車２，及び第２の滑車３と第３の滑車４に掛け渡され第１の滑車２と第３の滑車４の間に一部が垂下された紐環線状物５，並びに該紐環線状物５に係止されフレーム１に対して摺動自在に設けられた１又は複数の吊下具６，・・・を有する。
【００２５】
フレーム１は、金属板を、少なくとも４箇所の折目で曲げてリップミゾ形状に形成されていて、下方に係合凹溝１ａを有している。フレーム１として、ＪＩＳ規格のリップミゾ形鋼や市販の業務用カーテンレールを用いても良い。
【００２６】
フレーム１の長手方向の一端付近には、フレーム１の下端に軸止ブロック２ａ，２ａが取り付けられていて、第１の滑車２の上部が係合凹溝１ａに挿入される様に回転自在にして軸止ブロック２ａ，２ａに軸止されて設けられている。本実施例においては、第１の滑車２は左右一対の略直方体状の軸止ブロックを用いて取り付けられているが、必ずしもこれに限定されず、例えば略Ｌ字状の軸支持板を用いて取り付けられていても良い。また、第１の滑車２は、フレーム１に吊下されて取り付けられた、スナッチ滑車やオーフ滑車等であっても良い。
【００２７】
フレーム１の長手方向の他端付近には、フレーム１の下端に軸止ブロック３ａ，３ａが取り付けられていて、第２の滑車３の上部が係合凹溝１ａに挿入されるよう回転自在にして軸止ブロック３ａ，３ａに軸止されて設けられている。本実施例においては、第２の滑車３は左右一対の略直方体状の軸止ブロックを用いて取り付けられているが、必ずしもこれに限定されず、例えば略Ｌ字状の軸支持板を用いて取り付けられていても良い。また、第２の滑車３は、フレーム１に吊下されて取り付けられた、スナッチ滑車やオーフ滑車等であっても良い。
【００２８】
フレーム１の長手方向における第１の滑車２よりやや中央寄りに、左右１対の略Ｌ字状の軸支持板４ａ，４ａが、該軸支持板４ａ，４ａの鉛直面が互いに対向する様にして接合されていて、両軸支持板４ａ，４ａの鉛直面に第３の滑車４が軸止されて設けられている。第３の滑車４の取り付け方法は必ずしもこれに限定されず、例えば、スナッチ滑車やオーフ滑車等がフレーム１に吊下されて取り付けられていても良い。
【００２９】
紐環線状物５が、第１の滑車２と第２の滑車３，第３の滑車４と第１の滑車２，及び第２の滑車３と第３の滑車４に掛け渡される様にして設けられていて、紐環線状物５の一部は第１の滑車２と第３の滑車４の間において垂下されている。
紐環線状物５は、屈曲自在であれば特にその材質は問わないが、合成繊維製のロープ，ワイヤロープ等が好適に用いられる。
【００３０】
フレーム１に摺動自在に設けられた１又は複数の吊下具６，・・・が、紐環線状物５に係止されて設けられている。吊下具６は、図３に示される様に、ランナー６ａとフック６ｂからなる。
【００３１】
ランナー６ａの材質は特に限定されないが、剛性を有する金属又は合成樹脂が好適に用いられる。
ランナー６ａの上部はフレーム１内に配置され、その左右方向の幅はフレーム１の幅よりも若干狭く形成されていて、左右に設けられた一対のローラー６ｃ，６ｃによってフレーム１に対して摺動自在に係合されている。ランナー６ａの左右中央部分は、係合凹溝１ａから下方に延出されていて、フレーム１の下端よりも低い位置で前後方向に貫通孔６ｄが空けられると共に、貫通孔６ｄからランナー６ａの下端に至る螺子穴６ｅが設けられている。貫通孔６ｄには紐環線状物５が挿通されていて、螺子穴６ｅにおいてランナー６ａがフック６ｂと螺合されることによって、吊下具６は紐環線状物５の任意位置に固定される。
【００３２】
フック６ｂは、剛性を有する金属で形成され、その上部が螺子となっていて、前記ランナー６ａと螺合される。下方の鉤状の部分に、物干し具１０を吊下し、干し物を係止して干す。
【００３３】
フレーム１は、フレーム１の上端における長手方向のほぼ全域に渡って、略円筒形状の支持部材７に固着されている。支持部材７の長手方向の両端は、防水や角面による保護上、略半球状のキャップ７ａ，７ａが嵌入され取り付けられていることが好ましい。支持部材７は剛性を持つ金属で形成されるが、キャップ７ａ，７ａは必ずしも金属製である必要は無く、剛性を有する合成樹脂製であっても良い。また、支持部材７として、市販の物干し竿を用いても良い。
【００３４】
本実施例において、フレーム１と支持部材７は、図４に示される様に螺合によって固着されているが、必ずしもこれに限定されるものではなく、例えば溶接されて固着されていても良く、予め一体に作成されていても良い。
【００３５】
フレーム１の材質や寸法によっては、干し物の荷重による曲げ力のためにフレーム１が変形してしまう虞があるが、略円筒形状の支持部材７と固着されることによって強度が高まり、干し物の荷重にも耐えることができる。
【実施例２】
【００３６】
次いで、本考案の物干し装置について説明する。
【００３７】
図５は、物干し竿を物干し支柱に取り付ける手段を示す断面図である。図６は、物干し竿を物干し支柱に取り付ける別の手段を示す断面図である。
【００３８】
図１に示される様に、物干し竿の支持部材７の長手方向の両端付近は、２本の伸縮自在にして高さ調節可能な物干し支柱８，８に係止されている。
【００３９】
物干し支柱８は、上方支柱８ａ及び下方支柱８ｂを有していて、上方支柱８ａ及び下方支柱８ｂは互いに摺動可能に嵌合している。下方支柱８ｂの最下端は、土台８ｃに嵌入されて固定されている。上方支柱８ａの下方には螺子穴８ｄが設けられていて、蝶ボルト８ｅによって下方支柱８ｂと固定されている。
【００４０】
本実施例においては、上方支柱８ａは中空管であって、下方支柱８ｂと摺動可能であれば形状は限定されず、断面が円形のものや角パイプ等、任意形状の中空管を用いることができる。下方支柱８ｂは棒材であって、上方支柱８ａと摺動可能であれば形状は限定されず、丸棒や角棒等任意形状の棒材を用いることができる。
また、本実施例においては下方支柱８ｂが上方支柱８ａに嵌入して摺動可能にされているが、逆に上方支柱８ａが棒材であり且つ下方支柱８ｂが中空管であって、上方支柱８ａが下方支柱８ｂに嵌入していても良く、その場合には、蝶ボルト８ｅで固定するための螺子穴８ｄを下方支柱８ｂに設ける。上方支柱８ａと下方支柱８ｂとの固定は必ずしも蝶ボルトによる必要は無く、六角ボルト他のボルトを用いることができる。
【００４１】
更に、物干し支柱８，８の支柱は、必ずしも互いに摺動可能な２の部材即ち上方支柱と下方支柱のみからなる必要は無く、隣接する部材が互いに摺動可能な３以上の部材で構成されていても良い。
【００４２】
物干し支柱８の下端には、コンクリート製の土台８ｃが設けられているが、本考案に係る物干し装置を安定に用いるに十分な重量を有し、安定に載置できる形状として作成されていれば必ずしもコンクリートに限定されるものではない。土台８ｃと下方支柱８ｂは、一体に作成されていても良く、互いに着脱自在であっても良い。
【００４３】
上方支柱８ａの上端には、実施例１の物干し竿が係止されている。
係止の方法は特に限定されないが、例えば、図５に示される様に着脱自在に係止されていても良く、図６に示される様に固定されていても良い。
【００４４】
図５においては、上方支柱８ａの上端に、円筒の曲面の上部がテーパー状に開口した形状を有する案内部８ｆ，８ｆが、案内部８ｆ，８ｆの間の開口部８ｇを上に向ける様にして、開口部８ｇと対向する円筒面が接する様にして接合し、把持される様にされている。案内部８ｆ，８ｆは、開口部８ｇの両側縁において外側にテーパー状に曲げられていて、容易に支持部材７を嵌入せしめることができる形状である。案内部８ｆの材質は、その形状を保ちつつ容易に破損しない物であれば特に限定されず、ばね性を有する金属や合成樹脂が好適である。
【００４５】
図６においては、物干し支柱８の上方支柱８ａの上端よりやや低い位置に、螺子穴を有する板状部材８ｈが水平に設けられていて、板状部材８ｈと支持部材７がボルト９によって固定されている。
【使用例】
【００４６】
図７は、（ａ）干し物を取り込む際の使用例を示す要部断面図であり、（ｂ）は干し物を干す際の使用例を示す要部断面図である。
【００４７】
本考案に係る物干し竿及び物干し支柱において、吊下具６，・・・は、図１に示される様に、紐環線状物５の第１の滑車２と第３の滑車４との間に垂下された部分を、何れかの向きに引っ張ることによって移動させることができる。使用者は、第１の滑車２及び第３の滑車４の近くに居れば、本考案の物干し竿及び物干し装置を操作し、干し物を干したり取り込んだりすることができる。
【００４８】
紐環線状物５の第１の滑車２と第３の滑車４との間に垂下された部分のうち、第３の滑車に近い側を引っ張ると、図７（ａ）に示される様に、吊下具６，・・・は、フレーム１における第１の滑車２及び第３の滑車４が設けられた側へ送られる。これら２つの滑車に最も近い位置に設けられた吊下具６が手許に届いたならば、次いで、その次に近い吊下具６を引き寄せる。この様にして順次吊下具６，・・・を引き寄せる操作を繰り返すことによって、干した全ての干し物を手許に集めることができるから、それら干し物を容易に取り込むことができる。
【００４９】
紐環線状物５の第１の滑車２と第３の滑車４との間に垂下された部分のうち、第１の滑車に近い側を引っ張ると、図７（ｂ）に示される様に、吊下具６，・・・は第２の滑車側へ送られる。第１の滑車２及び第３の滑車４の近くに集められた吊下具６，・・・に、物干し具１０，・・・を吊下し干し物を係止しておくと、互いに隣り合う干し物同士の距離を広げつつ干すことができる。
【００５０】
干し物を干している間は、紐環線状物５の第１の滑車２と第３の滑車４との間に垂下された部分を、例えば物干し支柱８等に巻回して結び付け、固定しておく。吊下具６，・・・はフレーム１の長手方向に摺動自在であるが、紐環線状物５が巻回され固定されていると、容易に動かない。よって、干し物が風を受けても、容易に移動せず、干す位置を固定しておくことができる。
【図面の簡単な説明】
【００５１】
【図１】本考案の実施例を示す側断面図である。
【図２】図１のＡ−Ａ断面図である。
【図３】図１のＢ−Ｂ断面図である。
【図４】本考案の物干し竿を示す斜視図である。
【図５】物干し竿を物干し支柱に取り付ける手段を示す断面図である。
【図６】物干し竿を物干し支柱に取り付ける別の手段を示す断面図である。
【図７】（ａ）は干し物を取り込む際の使用例を示す要部断面図であり、（ｂ）は干し物を干す際の使用例を示す要部断面図である。
【符号の説明】
【００５２】
１  フレーム
１ａ  係合凹溝
２  第１の滑車
２ａ，３ａ  軸止ブロック
３  第２の滑車
４  第３の滑車
４ａ  軸支持板
５  紐環線状物
６  吊下具
６ａ  ランナー
６ｂ  フック
６ｃ  ローラー
６ｄ  貫通孔
６ｅ，８ｄ  螺子穴
７  支持部材
７ａ  キャップ
８  物干し支柱
８ａ  上方支柱
８ｂ  下方支柱
８ｃ  土台
８ｅ  蝶ボルト
８ｆ  案内部
８ｇ  開口部
８ｈ  板状部材
９  ボルト
１０  物干し具
【図１】
0003133241.tif 000003
【図２】
0003133241.tif 000004
【図３】
0003133241.tif 000005
【図４】
0003133241.tif 000006
【図５】
0003133241.tif 000007
【図６】
0003133241.tif 000008
【図７】
0003133241.tif 000009